(57)【特許請求の範囲】
【請求項１】
ネットワークを通じて情報提供サーバから受信端末に情報コンテンツを配信する情報配信システムにおいて、
１または複数の放送・通信インフラで提供される緊急情報を収集する緊急情報収集手段と、
前記受信端末に向けて送信される情報提供サーバのコンテンツ配信情報から前記受信端末のアドレス情報を検出する端末情報検出手段と、
前記緊急情報収集手段で緊急情報が取得されたとき、緊急情報発生を示す告知情報を生成する告知情報生成手段と、
前記告知情報生成手段で生成された告知情報を前記端末情報検出手段で検出されたアドレス情報を付加して前記ネットワークに送出する告知情報送出手段と、
前記受信端末に設けられ、前記告知情報を受信し提示する告示情報処理手段と
を具備することを特徴とする情報配信システム。
【請求項２】
前記端末情報検出手段は、前記受信端末が前記コンテンツ配信情報を受けるポート番号を検出し、
前記告知情報送出手段は、前記端末情報検出手段で検出されたポート番号とは別のポート番号を指定して前記告知情報を送出することを特徴とする請求項１記載の情報配信システム。
【請求項３】
前記告知情報生成手段は、前記緊急情報の内容に応じた電文を生成し前記告知情報として出力することを特徴とする請求項１記載の情報配信システム。
【請求項４】
前記ネットワークがインターネットプロトコル（ＩＰ）対応であり、前記コンテンツ配信情報がＩＰパケットによって伝送されるとき、
前記端末情報検出手段は、前記コンテンツ配信情報のＩＰパケットをその伝送路から取得して送出先ＩＰアドレスを検出し、
前記告知情報送出手段は、前記送出先ＩＰアドレスを指定して前記告知情報をＩＰパケット化し前記ネットワークに送出することを特徴とする請求項１記載の情報配信システム。
【請求項５】
ネットワークを通じて情報提供サーバから受信端末に情報コンテンツを配信する情報配信システムに用いられ、
１または複数の放送・通信インフラで提供される緊急情報を収集する緊急情報収集手段と、
前記受信端末に向けて送信される情報提供サーバのコンテンツ配信情報から前記受信端末のアドレス情報を検出する端末情報検出手段と、
前記緊急情報収集手段で緊急情報が取得されたとき、緊急情報発生を示す告知情報を生成する告知情報生成手段と、
前記告知情報生成手段で生成された告知情報を前記端末情報検出手段で検出されたアドレス情報を付加して前記ネットワークに送出する告知情報送出手段と、
を具備することを特徴とする緊急情報告知装置。
【請求項６】
前記端末情報検出手段は、前記受信端末が前記コンテンツ配信情報を受けるポート番号を検出し、
前記告知情報送出手段は、前記端末情報検出手段で検出されたポート番号とは別のポート番号を指定して前記告知情報を送出することを特徴とする請求項５記載の緊急情報告知装置。
【請求項７】
前記告知情報生成手段は、前記緊急情報の内容に応じた電文を生成し前記告知情報として出力することを特徴とする請求項５記載の緊急情報告知装置。
【請求項８】
前記ネットワークがインターネットプロトコル（ＩＰ）対応であり、前記配信情報がＩＰパケットによって伝送されるとき、
前記端末情報検出手段は、前記配信情報のＩＰパケットをその伝送路から取得して送出先ＩＰアドレスを検出し、
前記告知情報送出手段は、前記送出先ＩＰアドレスを指定して前記告知情報をＩＰパケット化し前記ネットワークに送出することを特徴とする請求項５記載の緊急情報告知装置。
【請求項９】
請求項１記載の情報配信システムに用いられ、
前記ネットワークから、前記情報配信サーバのコンテンツ配信情報を受信し提示する配信情報提示手段と、
前記コンテンツ配信情報と同じアドレスで送られてくる告知情報を受信し提示する告知情報提示手段とを具備することを特徴とする情報配信システムの受信端末。
【請求項１０】
前記コンテンツ配信情報と前記告知情報とをポート番号によって区別することを特徴とする請求項９記載の情報配信システムの受信端末。
【発明の詳細な説明】
【技術分野】
【０００１】
本発明は、例えばＩＰ（インターネットプロトコル）網に接続された受信端末に情報コンテンツを配信する情報配信システムに係り、特にこのシステムに用いられ、多種放送・通信インフラで提供される緊急情報を収集しその有無を告知する緊急情報告知装置と受信端末に関する。
【背景技術】
【０００２】
近年、通信技術の発達により放送波による番組コンテンツを、ＩＰ網を通じてＩＰ受信端末に提供するＶＯＤ（ビデオ・オン・デマンド）システムが普及されつつある。この種の情報配信システムでは、加入ユーザの要求に応じて、または決められたスケジュールに従って情報コンテンツを配信する。
【０００３】
ところで、防災対策の情報網整備が進められており、上記のような情報配信システムにおいても、予め決められた、あるいは要求された情報コンテンツだけでなく、緊急情報が得られた場合には即時にこの緊急情報の発生を告知できるようにすることが要望されている。このような緊急情報の告知に関しては、例えば特許文献１または特許文献２にＩＰ網による告知放送システムに具体的な処理内容が開示されている。
【０００４】
しかしながら、上記特許文献１または２に開示される手法では、配信情報自体に緊急情報を組み込んでユーザに提供することになるため、情報提供者側で編集作業が必要になる等、処理の負担が増大してしまう。
【特許文献１】特開２００２−３６８８０７公報
【特許文献２】特開２００５−２２９２９６公報
【発明の開示】
【発明が解決しようとする課題】
【０００５】
以上述べたように、従来の通信網を利用した情報配信システムでは、緊急情報の発令があったとき、配信中の情報自体に緊急情報を組み込む編集作業が必要であり、送り側の処理負担が増大してしまう。
【０００６】
本発明は、上記事情を考慮してなされたもので、緊急情報があった場合には、コンテンツ配信情報とは別個に緊急情報の発令を告知することができ、配信情報視聴中の受信端末においても緊急情報の有無を判別して緊急情報の視聴を促すことのできる情報配信システムとこのシステムに用いられる緊急情報告知装置及び受信端末を提供することを目的とする。
【課題を解決するための手段】
【０００７】
上記問題を解決するために、本発明に係る情報配信システムは以下のように構成されることを特徴とする。
【０００８】
（１）ネットワークを通じて情報提供サーバから受信端末に情報コンテンツを配信する情報配信システムにおいて、１または複数の放送・通信インフラで提供される緊急情報を収集する緊急情報収集手段と、前記受信端末に向けて送信される情報提供サーバのコンテンツ配信情報から前記受信端末のアドレス情報を検出する端末情報検出手段と、前記緊急情報収集手段で緊急情報が取得されたとき、緊急情報発生を示す告知情報を生成する告知情報生成手段と、前記告知情報生成手段で生成された告知情報を前記端末情報検出手段で検出されたアドレス情報を付加して前記ネットワークに送出する告知情報送出手段と、前記受信端末に設けられ、前記告知情報を受信し提示する告示情報処理手段とを具備することを特徴とする。
【０００９】
（２）（１）において、前記端末情報検出手段は、前記受信端末が前記コンテンツ配信情報を受けるポート番号を検出し、前記告知情報送出手段は、前記端末情報検出手段で検出されたポート番号とは別のポート番号を指定して前記告知情報を送出することを特徴とする。
【００１０】
（３）（１）において、前記告知情報生成手段は、前記緊急情報の内容に応じた電文を生成し前記告知情報として出力することを特徴とする。
【００１１】
（４）（１）において、前記ネットワークがインターネットプロトコル（ＩＰ）対応であり、前記コンテンツ配信情報がＩＰパケットによって伝送されるとき、前記端末情報検出手段は、前記コンテンツ配信情報のＩＰパケットをその伝送路から取得して送出先ＩＰアドレスを検出し、前記告知情報送出手段は、前記送出先ＩＰアドレスを指定して前記告知情報をＩＰパケット化し前記ネットワークに送出することを特徴とする。
【００１２】
また、本発明に係る情報配信システムの緊急情報告知装置は以下のように構成されることを特徴とする。
【００１３】
（５）ネットワークを通じて情報提供サーバから受信端末に情報コンテンツを配信する情報配信システムに用いられ、１または複数の放送・通信インフラで提供される緊急情報を収集する緊急情報収集手段と、前記受信端末に向けて送信される情報提供サーバのコンテンツ配信情報から前記受信端末のアドレス情報を検出する端末情報検出手段と、前記緊急情報収集手段で緊急情報が取得されたとき、緊急情報発生を示す告知情報を生成する告知情報生成手段と、前記告知情報生成手段で生成された告知情報を前記端末情報検出手段で検出されたアドレス情報を付加して前記ネットワークに送出する告知情報送出手段とを具備することを特徴とする。
【００１４】
（６）（５）において、前記端末情報検出手段は、前記受信端末が前記コンテンツ配信情報を受けるポート番号を検出し、
前記告知情報送出手段は、前記端末情報検出手段で検出されたポート番号とは別のポート番号を指定して前記告知情報を送出することを特徴とする。
【００１５】
（７）（５）において、前記告知情報生成手段は、前記緊急情報の内容に応じた電文を生成し前記告知情報として出力することを特徴とする。
【００１６】
（８）（５）において、前記ネットワークがインターネットプロトコル（ＩＰ）対応であり、前記配信情報がＩＰパケットによって伝送されるとき、前記端末情報検出手段は、前記配信情報のＩＰパケットをその伝送路から取得して送出先ＩＰアドレスを検出し、前記告知情報送出手段は、前記送出先ＩＰアドレスを指定して前記告知情報をＩＰパケット化し前記ネットワークに送出することを特徴とする。
【００１７】
また、本発明に係る情報配信システムの受信端末は、以下のように構成されることを特徴とする。
【００１８】
（９）（１）の情報配信システムに用いられ、前記ネットワークから、前記情報配信サーバのコンテンツ配信情報を受信し提示する配信情報提示手段と、前記コンテンツ配信情報と同じアドレスで送られてくる告知情報を受信し提示する告知情報提示手段とを具備することを特徴とする。
【００１９】
（１０）（９）において、前記コンテンツ配信情報と前記告知情報とをポート番号によって区別することを特徴とする。
【発明の効果】
【００２０】
以上のように構成することにより、緊急情報があった場合には、コンテンツ配信情報とは別個に緊急情報の発令を告知することができ、配信情報視聴中の受信端末においても緊急情報の有無を判別して緊急情報の視聴を促すことのできる情報配信システムとこのシステムに用いられる緊急情報告知装置及び受信端末を提供することができる。
【発明を実施するための最良の形態】
【００２１】
以下、図面を参照して本発明の実施形態を詳細に説明する。
【００２２】
図１は、本発明に係る情報配信システムの一実施形態を示すブロック図である。図１において、１１はＶＯＤシステム等の映像コンテンツ配信サーバであり、コンテンツ送出部１１１から加入ユーザの要求に応じて、または決められたスケジュールに従って映像コンテンツのＩＰパケットを送出する。このＩＰパケットはＩＰネットワーク１２を通じて加入者のＩＰテレビあるいはパーソナルコンピュータ等による映像受信端末１３に送られる。
【００２３】
本実施形態のシステムでは、上記映像コンテンツ配信サーバ１１からＩＰネットワーク１２に接続されるＩＰ伝送路中に緊急情報告知サーバ１４を備える。この緊急情報告知サーバ１４は、上記ＩＰ伝送路中にＩＰパケット分配器１４１を配置し、ＩＰ伝送路に伝送されるＩＰパケットをコピーして端末情報検知部１４２に送る。この端末情報検知部１４２は、コピーされたＩＰパケットから送出先ＩＰアドレス、ポート番号情報を検知する。
【００２４】
一方、この緊急情報告知サーバ１４は、各種放送・通信インフラの情報を収集して緊急情報を検知する緊急情報検知部１４３を備える。放送・通信インフラには、例えば地上放送波、衛星放送波、ＩＰ放送、気象庁観測情報提供サービス等がある。
【００２５】
上記緊急情報検知部１４３は、緊急情報の発令を検知すると、緊急情報検知フラグを発生し、告知電文生成部１４４に送る。この告知電文生成部１４４は、緊急情報発生を意味する告知電文を自動作成するもので、この告知電文情報は告知情報送出部１４５に送られる。
【００２６】
この告知情報送出部１４５は、告知電文情報を受け取ると、この告知電文情報に端末情報検知部１４２で順次検知される送出先ＩＰアドレスを付加してパケット化し、告知パケットとしてＩＰネットワーク１２に送出する。このとき、告知情報送出部１４５では、端末情報検知部１４２で送出先ＩＰアドレスと共に検知されるポート番号情報を判別し、そのポート番号以外のポート番号を選択して告知パケットに付加する。このようにして生成された、映像コンテンツのＩＰパケットとポート番号が異なる告知パケットは、ＩＰネットワーク１２を介して映像受信端末１３に送られる。
【００２７】
上記映像受信端末１３は、ＩＰネットワーク１２を通じてコンテンツ配信サーバ１１から送られてくる映像コンテンツのＩＰパケットを受け取ると、そのＩＰパケットから映像コンテンツのデータを取り出し、復調再生して視聴可能となる。この映像コンテンツのＩＰパケット受信中に、ＩＰネットワーク１２を通じて告知パケットを受けた場合、両者はポート番号が異なるため、同時に受信可能である。映像受信端末１３は、映像コンテンツの視聴中であっても、告知パケットを受信すると、これを復調再生して緊急情報の発令を提示する。
【００２８】
すなわち、上記構成による情報配信システムでは、緊急情報告知サーバ１４において、ＩＰバケツと分配器１４１にて映像コンテンツが送信されているＩＰパケットをコピーして、端末情報検知部１４２へ送り、コンテンツ送信先のＩＰアドレス、ポート番号を認識する。一方、緊急情報検知部１４３において、放送波等で緊急警報放送等の緊急情報が提示されていることを検出すると、告知電文生成部１４４が緊急情報検知部１４３で検出した緊急警報放送が行われているチャンネル等の情報を電文化する。そして、告知情報送出部１４５により、端末情報検知部１４２で検出した送出先ＩＰアドレスに対して、映像コンテンツとは異なるポート番号を用いて告知電文生成部１４４で作成された電文をＩＰパケット化し、ＩＰネットワーク１２へ送出する。
【００２９】
このように、緊急情報告知サーバ１４により、放送波の緊急警報放送等を検知し、告知電文を生成してＩＰネットワーク１２へ告知パケットとして送出する。このとき、映像コンテンツが送出されているＩＰパケットを検知し、コンテンツと異なるポート番号で告知パケットを配信するようにしているので、ＶＯＤ配信サーバ等のように、ビデオ送出部１１１から任意の受信端末へ配信するシステムにも、告知パケットを送信することができる。
【００３０】
したがって、上記構成による情報配信システムによれば、緊急情報があった場合に、映像コンテンツの配信とは別個に緊急情報の発令を告知することができ、配信情報視聴中の受信端末においても緊急情報の有無を判別して緊急情報の視聴を促すことができる。
【００３１】
なお、本発明は上記実施形態そのままに限定されるものではなく、実施段階ではその要旨を逸脱しない範囲で構成要素を変形して具体化できる。例えば、上記実施形態では、告知電文生成部１４４において、緊急情報検知部１４３で検出した緊急警報放送が行われているチャンネル等の情報を電文化するものとして説明したが、単に緊急情報発令を示すフラグのみでもよく、その情報内容は任意である。
【００３２】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３３】
【図１】本発明に係る情報配信システムの構成を示すブロック図。
【符号の説明】
【００３４】
１１…映像コンテンツ配信サーバ、１１１…コンテンツ送出部、１２…ＩＰネットワーク、１３…映像受信端末、１４…緊急情報告知サーバ、１４１…ＩＰパケット分配器、１４２…端末情報検知部、１４３…緊急情報検知部、１４４…告知電文生成部、１４５…告知情報送出部。
【図１】
0005002499.tif 000002